(57)【要約】      （修正有）【課題】排水する場合に、残渣が洗浄室の内底壁に附着されるという問題を効果的に避け、残渣が水流に連れて、円滑に集水領域に達して、清掃を便利にする、残渣の排出に優れた食洗機を提供する。【解決手段】前側が開口を有する洗浄室１と、洗浄室の内壁に回転可能であるように装着される洗浄ノズルとを含む、残渣の排出に優れた食洗機であって、洗浄室の内底壁は残渣濾過構成が設けられる集水領域３を含み、洗浄室の内底壁は第１導水領域４と第２導水領域５と、を含み、第１導水領域が第２導水領域に接続されるとともに第２導水領域へ傾斜し、第２導水領域が集水領域に接続されるとともに集水領域へ傾斜する。第２導水領域と集水領域とは洗浄ノズルを装着するための急流面１０により接続され、第２導水領域が急流面より高くて、急流面が集水領域より高くて、急流面には、洗浄ノズルを装着した軸部１２が設けられる。【選択図】図４
0003224303.tif 000002
【実用新案登録請求の範囲】
【請求項１】
前側が開口を有する洗浄室と、洗浄室の内壁に回転可能であるように装着される洗浄ノズルとを含む、残渣の排出に優れた食洗機であって、前記洗浄室の内底壁は残渣濾過構成が設けられる集水領域を含む残渣の排出に優れた食洗機において、前記導水領域は第１導水領域と第２導水領域と、を含み、前記第１導水領域が第２導水領域に接続されるとともに第２導水領域へ傾斜し、前記第２導水領域が集水領域に接続されるとともに集水領域へ傾斜することを特徴とする残渣の排出に優れた食洗機。
【請求項２】
前記集水領域は洗浄室の内底壁の前部に位置し、前記第１導水領域と前記第２導水領域との間には導水線が形成され、導水線の一端が洗浄室の内底壁の後側辺に連結され、導水線の他端が集水領域に連結されることを特徴とする請求項１に記載の残渣の排出に優れた食洗機。
【請求項３】
前記導水線の水平面における投影は外側に反っている弧線であり、前記第１導水領域の横幅は後側から前側へ徐々に減少することを特徴とする請求項２に記載の残渣の排出に優れた食洗機。
【請求項４】
前記洗浄室の内底壁の前部には、前記集水領域を構成し、下に凹む集水沈降台が設けられ、前記残渣濾過構成は、集水沈降台内に設けられる残渣収集器と、集水沈降台内に敷き広げられる濾過網と、含むことを特徴とする請求項１に記載の残渣の排出に優れた食洗機。
【請求項５】
前記第２導水領域と集水領域とは洗浄ノズルを装着するための急流面により接続され、前記第２導水領域が前記急流面より高くて、前記急流面が前記集水領域より高くて、前記急流面には、前記洗浄ノズルを装着した軸部が設けられることを特徴とする請求項１に記載の残渣の排出に優れた食洗機。
【請求項６】
前記急流面と前記第２導水領域とは段階により遷移され、前記段階の側辺が導水線の末端に連結されることを特徴とする請求項５に記載の残渣の排出に優れた食洗機。
【請求項７】
前記段階の両端は集水領域までに延伸し、前記急流面の横幅が第２導水領域から集水領域へ徐々に拡大されることを特徴とする請求項６に記載の残渣の排出に優れた食洗機。
【請求項８】
前記第１導水領域は第２導水領域の両側に位置し、前記第１導水領域の任意の１点における接平面と水平面との夾角の最大値は、第２導水領域の任意の１点における接平面と水平面との夾角の最大値より大きいことを特徴とする請求項１〜７のいずれか一項に記載の残渣の排出に優れた食洗機。
【請求項９】
前記第２導水領域は中間が高くて両側が低い曲面を形成するように、中心から左右両側に向いて徐々に下に傾斜することを特徴とする請求項１〜７のいずれか一項に記載の残渣の排出に優れた食洗機。
【請求項１０】
前記第１導水領域と洗浄室側壁とが交差する箇所の高さは、前記第２導水領域と洗浄室側壁とが交差する箇所の高さより高いことを特徴とする請求項１〜７のいずれか一項に記載の残渣の排出に優れた食洗機。
【考案の詳細な説明】
【技術分野】
【０００１】
本考案はキッチン家電という技術分野に関わり、特に残渣の排出に優れた食洗機に関わる。
【背景技術】
【０００２】
食洗機は食器を自動洗浄することができる洗浄装置である。食洗機は前側に開口された洗浄室と、洗浄室の内壁に回転可能であるように装着される洗浄ノズルと、を含み、食洗機のドアユニットは洗浄室の前側開口に対して開閉されて、ドアユニットが閉鎖される場合に、洗浄室と共同に密閉される洗浄室を構成する。食洗機が作動している際に、洗浄ノズルが回転し、洗浄室内の食器に洗濯水を散布することで、食器における食物残渣と油汚れなどの汚れを洗い流す。
【考案の概要】
【考案が解決しようとする課題】
【０００３】
洗浄室の内底壁は、前側の開口に近接するように設けられる集水領域を含み、集水領域内には残渣濾過構成が設けられ、食洗機が排水する際に、廃水と残渣を斜面に沿って集水領域にガイドするように、洗浄室の内底壁は後ろから前へ徐々に下に傾斜する単一の斜面である。ただし、このような構成である食洗機は実際に使用される際に、欠陥があり、即ち、洗浄室の内底壁の後側の、水平面に対する高さが高いが、洗浄室内の水位が水平であり、つまり、洗浄室の後側の水量が少なくて、排水する際に、洗浄室の後側の水面の液位が早く下降し、残渣が分散的に洗浄室の内底壁に付着して残留される恐れがあるから、食洗機の洗浄室内の残渣に対する清掃が不便になることに繋がる。
【課題を解決するための手段】
【０００４】
前記問題に対して、本考案は以下の技術案を提供し、残渣の排出に優れた食洗機であって、前側が開口を有する洗浄室と、洗浄室の内壁に回転可能であるように装着される洗浄ノズルとを含み、前記洗浄室の内底壁は残渣濾過構成が設けられる集水領域を含み、前記導水領域が第１導水領域と第２導水領域を含み、前記第１導水領域が第２導水領域に接続されるとともに、第２導水領域へ傾斜し、前記第２導水領域が集水領域に接続されるとともに、集水領域へ傾斜する。
【０００５】
さらに、前記集水領域は洗浄室の内底壁の前部に位置し、前記第１導水領域と前記第２導水領域との間には導水線が形成され、導水線の一端が洗浄室の内底壁の後側辺に連結され、導水線の他端が集水領域に連結される。
【０００６】
さらに、前記導水線の水平面における投影は外側に反っている弧線であり、前記第１導水領域の横幅が後側から前側へ徐々に減少する。
【０００７】
さらに、前記洗浄室の内底壁の前部には、前記集水領域を構成し、下に凹む集水沈降台が設けられ、前記残渣濾過構成は、集水沈降台内に設けられる残渣収集器と、集水沈降台内に敷き広げられる濾過網とを含む。
【０００８】
さらに、前記第２導水領域と集水領域とは、洗浄ノズルを装着するための急流面を介して接続され、前記第２導水領域が前記急流面より高くて、前記急流面が前記集水領域より高くて、前記急流面には前記洗浄ノズルを装着した軸部が設けられる。
【０００９】
さらに、前記急流面と前記第２導水領域とは段階により遷移され、前記段階の側辺が導水線の末端に連結される。
【００１０】
さらに、前記段階の両端は集水領域までに延伸し、前記急流面の横幅は第２導水領域から、集水領域に向いて徐々に拡大される。
【００１１】
さらに、前記第１導水領域は第２導水領域の両側に位置して、前記第１導水領域の任意の１点における接平面と水平面との夾角の最大値は、第２導水領域の任意の１点における接平面と水平面との夾角の最大値より大きい。
【００１２】
さらに、前記第２導水領域は中間が高くて両側が低い曲面を形成するように、中心から左右両側に向いて、徐々に下に傾斜する。
【００１３】
さらに、前記第１導水領域と洗浄室側壁とが交差する箇所にある高さは、前記第２導水領域と洗浄室側壁とが交差する箇所にある高さより高い。
【考案の効果】
【００１４】
本考案の有益な効果は主に以下の通り、
第１、洗浄室の内底壁の水平方向における断面積は、単一の斜面の内底壁の断面積より大きく、排水量が同様ある場合に、水面の液位の下降する高さが該断面積に反比例して、つまり、本出願の水面液位の高さの下降するのがより遅くて、第１導水領域と水平面との夾角がより大きくなる傾きに合わせて、水中の残渣が洗浄室の内底壁に付着残留され難くなる。
【００１５】
第２、単一の斜面の内底壁に比べると、本出願の洗浄室の内底壁縁の集水領域からの経路は長くなり、排水量が同様ある場合に、洗浄室の底壁に接触する水の排水線の速度を向上させ、液面の以下における洗浄室の底壁と接触する箇所にある水流の流速を早くして、液体に混合する残渣を内底壁から離脱させる。
【００１６】
第３、第１導水領域と水平面との夾角は第２導水領域と水平面との夾角より大きくて、水が第１導水領域から、より早く第２導水領域に流れて、導流効果を向上させる。
【００１７】
第４、洗浄ノズルは第２導水領域内ではなく、急流面に装着されることで、第２導水領域の構成はより多様化になり、アーチ状であってもよく、洗浄ノズルの装着に従って限定される必要がなくて、そして、第２導水領域と急流面との間には段差が存在するから、排水する際に、段階に滝という効果を形成し、瞬間的に洗浄ノズルと洗浄室との装着構成を洗い流して、食物残渣が装着構成に堆積されることで洗浄ノズルの回転に影響することを避ける。
【図面の簡単な説明】
【００１８】
【図１】本考案の実施例１の模式図（ドアユニットが取り外される）である。
【図２】本考案の実施例１の洗浄室の局所模式図である。
【図３】本考案の実施例２の洗浄室の局所断面図である。
【図４】本考案の実施例３の洗浄室の局所模式図である。
【考案を実施するための形態】
【００１９】
本考案の前記目的、特徴と利点をよりよく理解するために、以下は図面と具体的な実施形態を結合し、本考案を詳しく説明する。説明しようとするのは、衝突しない場合に、本出願の実施例及び実施例における特徴を互いに組み合わせてもよい。
【００２０】
本考案を十分に理解するために、以下の説明において、多い具体的な細部を記載しているが、ここで説明されたことと違うように、本考案はさらに他の形態により実施されてもよいから、本考案の保護範囲は以下に開示された具体な実施例に限定されていない。
【００２１】
実施例１
図１に示すように、残渣の排出に優れた食洗機であって、具体的には卓上型食洗機である。食洗機は、前側が開口を有する洗浄室１と、洗浄室１の内壁に回転可能であるように装着される洗浄ノズル２と、を含む。食洗機は洗浄室１の前側の開口に対して開閉されるドアユニット（図示せず）を有し、ドアユニットが閉鎖される場合に、洗浄室１と共同に密閉される洗浄室を構成する。
【００２２】
図２に示すように、洗浄室１の内底壁は、残渣濾過構成が設けられる集水領域３を含み、前記集水領域３が洗浄室１の内底壁の前部に位置して、前記開口に近接し、前記洗浄室の内底壁はさらに集水領域３の後方に位置する導水領域を含み、前記導水領域が第１導水領域４と第２導水領域５を含み、前記第１導水領域４が第２導水領域５に接続されるとともに、第２導水領域５に傾斜し、前記第２導水領域５が集水領域３に接続されるとともに、集水領域３に傾斜する。洗浄室１内は食器を収容するとともに、食器を洗浄するための洗浄腔を構成し、一般的には、洗浄室の前側には食器を出し入れするためのドア３が設けられる。洗浄室１の内底壁には洗浄ノズル２（洗浄ノズルが具体的に洗浄アームであってもよい）を装着した軸部１２が設けられ、洗濯水が均一に、効率的に食器を洗い流すように、洗浄ノズル２は軸部１２の周りに回転する。本実施例において、集水領域３は矩形を呈して、無論、集水領域は円形、三角形などの他の幾何形状を呈してもよく、該領域の配置は、効率的に洗浄室１の内底壁にある洗濯水をまとめて収集し、集水領域３内の残渣濾過構成により濾過した後に、排水口から循環管路または排水管路に入ることを目的とする。残渣濾過構成が洗浄室１の前側の開口に近接して設けられるように、集水領域３は洗浄室１の内底壁の前部に位置し、これによって、残渣濾過構成により収集された食物残渣の清掃、及び残渣濾過構成そのものの清掃とメンテナンスを便利にする。
【００２３】
洗浄室１の内底壁は両面で接続される二つの導水領域を形成し、このような構成である洗浄室１の内底壁の水平方向における断面積は、単一の斜面の内底壁の断面積より大きくて、排水量が同様ある場合に、水面液位が下降する高さは該断面積に反比例して、つまり、本出願の水面液位の高さの下降するのがより遅くて、第１導水領域４と水平面との夾角がより大きくなる傾きに合わせるように、水中の残渣が洗浄室の内底壁に付着残留され難くなる。
【００２４】
第１導水領域４の任意の１点における接平面と水平面との夾角の最大値は、第２導水領域５の任意の１点における接平面と水平面との夾角の最大値より大きくて、つまり、第１導水領域４と水平面との夾角は、第２導水領域５と水平面との夾角より大きい。単一の斜面の内底壁に比べると、本出願の洗浄室の内底壁縁の、集水領域からの経路が長くなり、排水量が同様ある場合に、洗浄室の底壁に接触する水の排水線の速度を向上させ、液面の以下における洗浄室の底壁と接触する箇所にある水流の流速を早くして、液体に混合する残渣を内底壁から離脱させる。また、第１導水領域４と水平面との夾角は第２導水領域５と水平面との夾角より大きくて、水が第１導水領域４から、より早く第２導水領域５に流れて、導流効果を向上させる。
【００２５】
食洗機は排水している場合に、洗浄室１内にある水が集水領域３へ流れて、残渣濾過構成を介して排出され、使用者が後続に除去するように、残渣が水流に連れて集水領域へ流れて、残渣濾過ユニットにより濾過される。
【００２６】
前記洗浄ノズルは１組が設けられてもよく、２組が設けられてもよく、洗浄ノズルの装着位置も限定されず、洗浄室の内底壁に設けられてもよく、洗浄室の内上壁に設けられてもよく、さらに支持構成により洗浄室内に張架されてもよい。前記洗浄ノズルの具体的な構成及び洗浄室の装着構成は、従来技術と見なされるから、贅言しない。
【００２７】
前記第１導水領域４と前記第２導水領域５との間には導水線６が形成され、導水線６の一端が洗浄室１の内底壁の後側辺に連結され、導水線６の他端が集水領域３に連結される。洗浄室１内にある水が滑らかに後ろから前へ流れて排出されるように、導水線６は洗浄室１の内底壁の後側から前側に延伸し、導水線６の始端が内底壁の後側辺に連結されることで、効果的に内底壁の後側辺に汚れが貯留されることを避け、内底壁の後側に残渣死角がないことを保証し、そして、導水線６の末端が集水領域３の縁に連結されることで、よりよく水流を集水領域３にガイドし、残渣排出効果が良くなる。
【００２８】
前記導水線６は後ろから前へ延伸する直線段であってもよく、後ろから前へ延伸する弧形線段であってもよい。本実施例において、前記導水線６の水平面における投影は、外側に反っている弧線であり、前記第１導水領域４の横幅は後側から前側へ徐々に減少する。弧形の導水線６の配置により、水流の流路が長くなり、水面液位が下降する高さがより遅くて、水中の残渣がより内底壁に附着され難くなる。
【００２９】
本実施例において、前記第１導水領域４は第２導水領域５の両側に位置するとともに洗浄室１の内底壁の側辺に接続され、つまり、前記第１導水領域４は、それぞれ第２導水領域５の両側に位置する二つがあり、前記導水線６も二本である。
【００３０】
洗浄室１の左右両側に位置する第１導水領域４内にある水は、洗浄室１の中部にある第２導水領域５へ流れることで、洗浄室１の側辺の残渣が水流に連れて洗浄室１の中部へ集中されてから、集水領域３へまとめられることで、効果的に食物残渣が洗浄室１の側部に分散されることを避けて、残渣排出の効果がよりよくなり、清掃をより便利にする。
【００３１】
より具体的には、二つの第１導水領域４は対称に第２導水領域５の両側に設けられ、排水がより滑らかになり、水流が安定になる。これに連れて、二本の導水線６も対称に設けられ、それぞれ集水領域３の両側辺に連結される。このような構成である洗浄室１の加工もより便利になる。
【００３２】
前記第１導水領域４の水平方向の幅は後側から前側へ徐々に減少する。前側に近接する第１導水領域４内にある水はより早く第２導水領域５に達して、後側に近接する第１導水領域４内にある水は、前側にある水により、第２導水領域５へ流れて、さらに導流効果を向上させる。
【００３３】
前記第２導水領域５は平面であってもよく、加工が便利になり、コストが低くなる。本実施例において、前記第２導水領域５は中間が高くて両側が低い曲面を形成するように、中心から左右両側に向いて、徐々に下に傾斜し、第２導水領域５の水平方向における面積がより大きくて、排水量が同様ある場合に、水面液位が下降する高さが該断面積に反比例して、水面液位が下降する高さがより遅くて、水中の残渣が第２導水領域５の内底壁に付着残留され難くなる。
【００３４】
前記第１導水領域４と洗浄室１側壁とが交差する箇所にある高さは、前記第２導水領域５と洗浄室１側壁とが交差する箇所にある高い。第１導水領域４の側辺にある水と残渣が順調に、完全に第２導水領域５へ流れることを確保し、第１導水領域４の側辺には残渣が沈積されることを避ける。
【００３５】
実施例２
本実施例は集水領域の構成を提供する。
【００３６】
図３に示すように、前記洗浄室１の内底壁の前部には、前記集水領域３を構成し、下に凹む集水沈降台７が設けられる。前記残渣濾過構成は集水沈降台７内に設けられる残渣収集器８と、集水沈降台７内に敷き広げられる濾過網９と、を含む。
【００３７】
排水している場合に、洗浄室１内にある廃水は、第１導水領域４、第２導水領域５から、集水領域３へまとめられて、廃水が濾過網９を経て、集水沈降台７内に入って、残渣収集器８を介して洗浄室１から排出され、水に混合する残渣が濾過網９により濾過され、濾過網９に沈積され、残渣収集器８及び濾過網９は、使用者の清掃対象になる。構成が簡単であり、排水が滑らかで、残渣濾過の効果がよくて、清掃も便利にする。
【００３８】
食洗機が作動している場合に、洗濯水の液面が濾過網９の高さより高くなるから、浮力の作用により、残渣が水面に浮遊し、排水する過程は、水流により残渣を濾過網９に排出させることを実現し、水面の浮力により、残渣が容易に濾過網９の位置にまとめられる。さらに、洗濯水の液面は濾過網９の高さより３ｍｍ以上高い。
【００３９】
前記集水沈降台７の底部縁には突起するリングリブ７１が設けられ、前記濾過網９はリングリブ７１に掛け渡され、前記濾過網９の天井面が前記集水沈降台７の天井部縁の以下である。濾過網９の着脱がより便利になり、集水沈降台７内の洗浄も便利になる。
本実施例は実施例１と結合して使用されてもよい。
【００４０】
実施例３
本実施例は洗浄室の内底壁の構成を提供する。
【００４１】
図４に示すように、前記第２導水領域５と集水領域３とは、洗浄ノズルを装着するための急流面１０により接続され、第２導水領域５が急流面１０より高くて、急流面１０が集水領域３より高くて、前記急流面には前記洗浄ノズルを装着した軸部１２が設けられる。
【００４２】
洗浄ノズルは第２導水領域５内ではなく、急流面１０に装着され、これによって、第２導水領域５の構成がより多様化になり、アーチ状であってもよく、洗浄ノズルの装着に従って限定される必要がなく、そして、第２導水領域５と急流面１０との間には段差が存在するから、水流の流速を早くして、洗浄ノズル２と洗浄室１との装着構成を瞬間的に洗い流して、食物残渣が装着構成に堆積されることで洗浄ノズル２の回転に影響することを避ける。
【００４３】
前記急流面１０と第２導水領域５とは段階１１により遷移され、前記段階１１の両端が集水領域３までに延伸し、排水する場合に、段階１１に滝という効果を形成し、第２導水領域５により加速され、急流面１０を経て集水領域３に入る。
【００４４】
前記急流面１０の横幅は第２導水領域５から集水領域３へ徐々に拡大される。洗濯水が軸部１２に衝撃してから、軸部１２の両側に拡散されることで、滑らかに集水領域３に入ることに寄与する。
【００４５】
さらに、前記急流面１０は後ろから前へ徐々に下に傾斜する斜面である。
本実施例は実施例１、実施例２と結合して使用されても良い。
【００４６】
本実施例と実施例１とを結合する場合に、前記段階１１は、半包囲するように前記洗浄ノズル２と洗浄室１との装着構成を内側に囲み、前記段階１１の側辺が導水線６の末端に連結される。第２導水領域５にある水は段階１１を介して、複数の方向から中間にある洗浄ノズル２と洗浄室１との装着構成に洗い流されて、装着構成にある残渣を洗い流す効果がよくなる。
【００４７】
以上は既に本考案の好適な実施例を詳しく説明したが、理解すべきは、本考案の前記記載内容を読んだ後に、当業者は本考案に対していろんな補正または変更をすることができる。これらの等価形態は同じように本出願の請求項に限定される範囲に該当している。
【符号の説明】
【００４８】
１  ・・・洗浄室
２  ・・・洗浄ノズル
３  ・・・集水領域
４  ・・・第１導水領域
５  ・・・第２導水領域
６  ・・・導水線
７  ・・・集水沈降台
７１  ・・・リングリブ
８  ・・・排水閥
９  ・・・濾過網
１０  ・・・急流面
１１  ・・・段階
１２  ・・・軸部
【図１】
0003224303.tif 000003
【図２】
0003224303.tif 000004
【図３】
0003224303.tif 000005
【図４】
0003224303.tif 000006
【手続補正書】
【提出日】令和1年10月16日(2019.10.16)
【手続補正１】
【補正対象書類名】実用新案登録請求の範囲
【補正対象項目名】全文
【補正方法】変更
【補正の内容】
【実用新案登録請求の範囲】
【請求項１】
前側が開口を有する洗浄室と、洗浄室の内壁に回転可能であるように装着される洗浄ノズルとを含む、残渣の排出に優れた食洗機であって、前記洗浄室の内底壁は残渣濾過構成が設けられる集水領域を含む残渣の排出に優れた食洗機において、前記洗浄室の内底壁は第１導水領域と第２導水領域と、を含み、前記第１導水領域が第２導水領域に接続されるとともに第２導水領域へ傾斜し、前記第２導水領域が集水領域に接続されるとともに集水領域へ傾斜することを特徴とする残渣の排出に優れた食洗機。
【請求項２】
前記集水領域は洗浄室の内底壁の前部に位置し、前記第１導水領域と前記第２導水領域との間には導水線が形成され、導水線の一端が洗浄室の内底壁の後側辺に連結され、導水線の他端が集水領域に連結されることを特徴とする請求項１に記載の残渣の排出に優れた食洗機。
【請求項３】
前記導水線の水平面における投影は外側に反っている弧線であり、前記第１導水領域の横幅は後側から前側へ徐々に減少することを特徴とする請求項２に記載の残渣の排出に優れた食洗機。
【請求項４】
前記洗浄室の内底壁の前部には、前記集水領域を構成し、下に凹む集水沈降台が設けられ、前記残渣濾過構成は、集水沈降台内に設けられる残渣収集器と、集水沈降台内に敷き広げられる濾過網と、含むことを特徴とする請求項１に記載の残渣の排出に優れた食洗機。
【請求項５】
前記第２導水領域と集水領域とは洗浄ノズルを装着するための急流面により接続され、前記第２導水領域が前記急流面より高くて、前記急流面が前記集水領域より高くて、前記急流面には、前記洗浄ノズルを装着した軸部が設けられることを特徴とする請求項１に記載の残渣の排出に優れた食洗機。
【請求項６】
前記急流面と前記第２導水領域とは段階により遷移され、前記段階の側辺が導水線の末端に連結されることを特徴とする請求項５に記載の残渣の排出に優れた食洗機。
【請求項７】
前記段階の両端は集水領域までに延伸し、前記急流面の横幅が第２導水領域から集水領域へ徐々に拡大されることを特徴とする請求項６に記載の残渣の排出に優れた食洗機。
【請求項８】
前記第１導水領域は第２導水領域の両側に位置し、前記第１導水領域の任意の１点における接平面と水平面との夾角の最大値は、第２導水領域の任意の１点における接平面と水平面との夾角の最大値より大きいことを特徴とする請求項１〜７のいずれか一項に記載の残渣の排出に優れた食洗機。
【請求項９】
前記第２導水領域は中間が高くて両側が低い曲面を形成するように、中心から左右両側に向いて徐々に下に傾斜することを特徴とする請求項１〜７のいずれか一項に記載の残渣の排出に優れた食洗機。
【請求項１０】
前記第１導水領域と洗浄室側壁とが交差する箇所の高さは、前記第２導水領域と洗浄室側壁とが交差する箇所の高さより高いことを特徴とする請求項１〜７のいずれか一項に記載の残渣の排出に優れた食洗機。